(57)【要約】【課題】医師がログオフを忘れた場合でも、自動的にログオフを行い、患者情報を保護する超音波診断装置を提供する。【解決手段】患者を検知する患者検知部７と、現在表示されている患者のID情報を保持する患者情報保持部８と、これらから入力される患者ID情報をを照合し患者が存在しているかどうかを判断する患者存在判定部９と、患者存在判定部からの信号を元にログオフを実行する検査終了制御部１０を備えることで、医師がログオフを忘れても患者がいなくなれば自動的にログオフが実行される。【選択図】図１
2008093088.tif 000002
【特許請求の範囲】
【請求項１】
患者情報を表示する表示画面を備えた超音波診断装置であって、
患者の存在を検知する患者検知部と、
現在表示している患者のID情報を保持する患者情報保持部と、
前記患者検知部からの患者ID情報と前記患者情報保持部からの患者ID情報とを照合することにより、現在表示している患者情報に相当する患者が存在しているかどうかを判定する患者存在判定部と、
前記患者存在判定部からの信号により、現在表示している患者情報に相当する患者が存在しなくなった場合にはログオフを実行する検査終了制御部と、
を有することを特徴とする超音波診断装置。
【請求項２】
前記患者存在判定部からの信号により、検査終了制御部への信号を遅らせることのできる遅延・画面切換え部前記を備え、ログオフ実行前にログオフを実行するか実行しないかを問い合わせる画面を前記表示部に表示することができる請求項１記載の超音波診断装置。
【請求項３】
患者存在判定部は、前記患者検知部から現在表示している患者情報に相当する患者と相当しない患者の患者ID情報を同時に受信したとき、前記患者が存在しないと判定してログオフを実行することを特徴とする請求項１記載の超音波診断装置。
【発明の詳細な説明】
【技術分野】
【０００１】
本発明は、患者を認識しなくなると自動的にログオフすることで患者情報を保護する超音波診断装置に関する。
【背景技術】
【０００２】
医療機器において、患者の個人情報を守ることは、近年重要な問題になっている。例えば、腫瘍の画像が表示されたモニタ画面を別の患者や担当外の医師が見てしまうことなどは、あってはならないことである。
【０００３】
このため一般に、超音波診断装置をはじめとする医療機器を使用する場合には、検査時に機器にログオンし、患者に対する検査が終了した時点でログオフ処理を行うことで、患者情報を保護している（特許文献１、２参照）。
【特許文献１】特開２００５−１４１５４９号公報
【特許文献２】特開２００６−１４６５９８号公報
【発明の開示】
【発明が解決しようとする課題】
【０００４】
しかしながら従来の技術では、ログオフは医師が操作卓を操作するか、もしくは一定の時間が経過することによって行われる。従って、医師がログオフ操作の実行を忘れた場合、個人情報が守られない時間が生じるという問題を有していた。
【課題を解決するための手段】
【０００５】
本発明は、上記問題を解決するために、請求項１に記載したように、患者の情報を表示する画面を備えた超音波診断装置において、患者の存在を検知する患者検知部と、現在表示している患者のID情報を保持する患者情報保持部と、前記患者検知部からの患者ID情報と前記患者情報保持部からの患者ID情報を照合することにより、現在表示している患者情報に相当する患者が存在しているかどうかを判定する患者存在判定部と、前記患者存在判定部からの信号により、現在表示している患者情報に相当する患者が存在しない場合にはログオフを実行する検査終了制御部とを有することを特徴とするものである。
【０００６】
この構成により、患者が存在しなくなるとログオフする機能を提供することによって、検査後に医師がログオフしていなかった場合であっても、患者の個人情報を保護できるという効果を有する。
【発明の効果】
【０００７】
本発明は、請求項１に記載したように、患者の情報を表示する画面を備えた超音波診断装置において、患者の存在を検知する患者検知部と、現在表示している患者のID情報を保持する患者情報保持部と、前記患者検知部からの患者ID情報と前記患者情報保持部からの患者ID情報を照合することにより、現在表示している患者情報に相当する患者が存在しているかどうかを判定する患者存在判定部と、前記患者存在判定部からの信号により、現在表示している患者情報に相当する患者が存在しない場合にはログオフを実行する検査終了制御部とを有している。
【０００８】
この構成により、患者が存在しなくなるとログオフする機能を提供することによって、検査後に医師がログオフしていなかった場合であっても、患者の個人情報を保護できるという効果を有する超音波診断装置を提供するものである。
【発明を実施するための最良の形態】
【０００９】
以下、本発明の実施の形態の超音波診断装置について、図面を用いて説明する。
【００１０】
本発明の第１の実施の形態の超音波診断装置を図１に示す。
【００１１】
図１において、超音波診断装置６は、患者の存在を検知する患者検知部７と、現在表示している患者のID情報を保持する患者情報保持部８と、患者検知部からの患者ID情報と患者情報保持部からの患者ID情報を照合することにより、現在表示している患者情報に相当する患者が存在しているかどうかを判定する患者存在判定部９と、患者存在判定部からの信号により、現在表示している患者情報に相当する患者が存在しない場合にはログオフを実行する検査終了制御部１０と、医師が超音波診断装置の操作に使用する操作卓１１と、患者情報を含む画面を表示する表示部１２とを有する構成である。
【００１２】
以上のように構成された超音波診断装置について、図１を用いてその動作を説明する。
【００１３】
まず、検査時には、医師は通常どおり操作卓１１によりログインしたのち、患者を検査する。このとき患者検知部７は検知した患者ID情報を患者存在判定部９に送信する。患者判定送信部９は患者検知部からの患者ID情報と患者情報保持部８からの現在表示している患者のID情報とを比較した結果が一致するのでそれ以上の動作は行わない。検査が終了し患者がいなくなると、患者検知部７は患者がいなくなったことを検知し、患者存在判定部９に予め規定された空白（「患者存在なし」状態）の患者ID情報を送信する。患者検知部７からの患者ID情報を受け取った患者存在判定部９は患者情報保持部８からの現在表示している患者のID情報と比較し、結果が一致しないことから患者がいないことを判定するとともに検査終了制御部１０に対して、別途任意に設定しておいた送信タイミングで、予め規定されたログオフ信号を送出する。患者存在判定部９からの信号を受け取った検査終了制御部１０はログオフ動作を実行し、この処理の中で超音波診断装置の画面および患者の情報はすべて表示部１２から消去される。この送信タイミングは、患者検知部７の検知領域の広さともリンクするが、長くても次の患者を呼び出すコールをして、次の患者が診察室に入ってくるまでの時間以下に設定するのが好ましい。
【００１４】
なお、患者検知部７としては、指紋、虹彩、顔認証、静脈認証等のバイオメトリックス技術を用いる方法のほかに、赤外線センサー、サーモグラフパターンあるいはレーザを用いた光学式、認識用タグを所持することでその認識を行う無線周波数識別（ＲＦＩＤ）等の電気式、床、椅子に備えた重量センサーを用いた重量測定式、あるいは、病気、薬に基づく個々の体臭で判別する臭い検知式、声、音を検知して判別する音響式等の方法を用いることができる。
【００１５】
患者検知部としてＲＦＩＤタグを利用した場合、市販のタグリーダと組み合わせて、タグリーダが取得した患者がつけているタグのID情報を患者存在判定部に入力すればよい。
【００１６】
また、患者検知部として、IDカードを利用した場合、市販のカードリーダと組み合わせて、カードリーダに挿入された患者のカードのID情報を患者存在判定部に入力すればよい。
【００１７】
このような本発明の第１の実施の形態の超音波診断装置によれば、医師が検査終了後のログオフを行わなくても、患者がいなくなったことを検知することで自動的にログオフを行うことにより、患者情報を保護できるという効果を有する。
【００１８】
次に、本発明の第２の実施の形態の超音波診断装置を図２に示す。
【００１９】
図２に示すように、検査終了制御部１０の手前に操作卓から信号でリセット可能な遅延・画面切換え部１３を設けることで、検査が終了し患者がいなくった場合、すぐに検査終了制御部１０にログオフ信号を送出するのではなく、一旦表示部１２に、ログオフを行うか行わないかを問い合わせる画面を表示し（患者情報画面は表示部１２から隠すか、画面表示を変形して判別不能にした状態で表示して）、操作卓１１からの入力によりログオフの実行が選択された場合にはログオフを実行し、また操作卓１１からの入力によりログオフを実行しないことが選択された場合には問い合わせ画面が表示される以前の元の患者情報表示画面を再表示することもできる。
【００２０】
このようにすることで、患者が去った後でも、医師として患者情報を見直す必要がある場合、意図的に対応が可能となる。
【００２１】
なお、遅延・画面切換え部１３は、回路的には検査終了制御部１０に含めてもよい。
【００２２】
また、患者検知部７は患者だけでなく医師の存在も検知するようにし、医師識別情報と患者情報はリンクした形で登録されて、患者だけでなく、医師の存在も検出できなくなった場合（医師が装置から一定距離以上遠ざかった場合）は、他の患者だけでなく他の医師にも個人情報が洩れることを防ぐために、検査終了制御部１０にログオフの信号を送出し、ログオフ動作を実行することが好ましい。
【００２３】
また、患者検知部７が異なる複数の患者ID情報を患者存在判定部９に送信し、患者存在判定部９が患者情報保持部８からの現在表示している患者（以下患者Ａ）のID情報と一致しない患者情報が存在する場合には、検査終了制御部１０にログオフの信号を送出し、ログオフ動作を実行することもできる。
【００２４】
このような構成により、誤って他の患者（以下患者Ｂ）が患者検知部７の検出領域内に入ってきた場合、個人情報の保護を優先する立場から、患者Ｂに患者Ａの情報を見せなくすることができ、患者情報を保護することができる。
【００２５】
次に、本発明の第３の実施の形態の超音波診断装置を図３に示す。
【００２６】
図３に示すように、同伴者検出部１４を患者検知部７に設けることで、患者Ａに伴って、患者Ａの同伴者が存在する可能性がある場合、この同伴者についてあらかじめ同伴者であることの登録をしておくことで、患者検知部７が複数の人体を検出した場合でも、その検出情報から同伴者検出部１４が検出した同伴者データを削除、あるいは後工程への送信データに識別子をつけることで、患者存在判定部９へは、患者Ａのみの患者ID情報のみが判別されることで、患者Ａは同伴者との間で個人情報を共有しつつ、それ以外に対しては、個人情報保護を図ることができる。
【産業上の利用可能性】
【００２７】
以上のように、本発明にかかる超音波診断装置は、医師が検査終了後のログオフを行わなくても、患者がいなくなったことを検知することで自動的にログオフを行うことにより、患者情報を保護できるという効果を有し、多数の医師が診断を行う場合に患者情報の保護に対するミスをなくす方法として有用である。
【図面の簡単な説明】
【００２８】
【図１】本発明の第１の実施の形態における超音波診断装置のブロック図
【図２】本発明の第２の実施の形態における超音波診断装置のブロック図
【図３】本発明の第３の実施の形態における超音波診断装置のブロック図
【図４】従来の超音波診断装置のブロック図
【符号の説明】
【００２９】
１    超音波診断装置
２    操作卓
３    タイマー
４    検査終了制御部
５    表示部
６    超音波診断装置
７    患者検知部
８    患者情報保持部
９    患者存在判定部
１０    検査終了制御部
１１    操作卓
１２    表示部
１３    遅延・画面切換え部
１４    同伴者検出部
【図１】
2008093088.tif 000003
【図２】
2008093088.tif 000004
【図３】
2008093088.tif 000005
【図４】
2008093088.tif 000006